(57)【要約】      （修正有）【課題】一連の切断操作中に自動的に倍力機構へ切り替わって切断できるケーブルカッターを提供する。【解決手段】枢軸３を介して開閉可能に連結された固定側刃体１と移動側刃体２とを備え、固定側刃体１は第１ハンドル４に、移動側刃体２は第一軸６と第二軸７を介して第２ハンドル５に連結され、移動側刃体２には枢軸３を軸心とした弧状長孔８と、枢軸３から遠隔位置で放射方向に延びる直線状長孔１０を設け、固定側刃体１には段差部を備えた切換用長孔９を設け、第２ハンドル５から突設した第一軸６が弧状長孔８と切換用長孔９に、第二軸７が直線状長孔１０にスライド可能に挿入され、弧状長孔８に、両ハンドルの全開位置で第一軸６が嵌入して第２ハンドル５と移動側刃体２を一体化するポケット８ａを備え、両ハンドルの閉止途中で第一軸６が切換用長孔９の段差部でポケットから出て弧状長孔８に移行し、長孔８内をスライドして倍力機能が動作するようにした。【選択図】図１
2011078497.tif 000002
【特許請求の範囲】
【請求項１】
枢軸を介して開閉可能に連結された固定側刃体と移動側刃体とを備え、固定側刃体は第１ハンドルに固定連結され、移動側刃体は第一軸並びに第二軸を介して第２ハンドルに連結され、移動側刃体には枢軸を中心とした円弧を描く弧状長孔と、枢軸からみて前記弧状長孔より遠隔位置で枢軸に対して放射方向に延びる直線状長孔とが設けられ、固定側刃体には段差部を備えた切換用長孔が設けられ、前記第２ハンドルから突設された第一軸が弧状長孔と切換用長孔に、第二軸が直線状長孔に夫々スライド可能に挿入されており、前記弧状長孔には前記両ハンドルの全開位置において第一軸が嵌り込んで第２ハンドルと移動側刃体を一体化するポケットを備え、これら両ハンドルの開閉途中において第一軸が切換用長孔の段差部によってポケットから押し出されて弧状長孔に移行し、長孔内をスライドすることにより倍力機能が動作するようにしてあるケーブルカッター。
【請求項２】
切換用長孔が、弧状長孔と同じ半径で円弧を描く第１円弧部と、段差部を介して第１円弧部と連なって該第１円弧部より小径に形成された第２円弧部とを備えていて、第１、第２両ハンドルの全開姿勢で、第一軸が切換用長孔の第２円弧部の終端部と弧状長孔のポケットとに位置し、切断終了後の刃体閉止姿勢で切換用長孔の第１円弧部の終端部と弧状長孔の終端部とに位置するように設定されている請求項１に記載のケーブルカッター。
【請求項３】
枢軸を介して開閉可能に連結された固定側刃体と移動側刃体とを備え、固定側刃体は第１ハンドルに固定連結され、移動側刃体は第一軸並びに第二軸を介して第２ハンドルに連結され、移動側刃体には枢軸を中心とした円弧を描く弧状長孔と、枢軸からみて前記弧状長孔より遠隔位置で枢軸に対して放射方向に延びる直線状長孔とが設けられ、固定側刃体には前記弧状長孔と同じ半径の円弧で形成された切換用長孔が設けられ、前記第２ハンドルから突設された第一軸が弧状長孔と切換用長孔に、第二軸が直線状長孔に夫々スライド可能に挿入されており、第１、第２両ハンドルによる切断操作の初期段階において第一軸が弧状長孔と切換用長孔とに位置して両長孔に沿ってスライドすることにより倍力機能が作動するように形成され、切断操作の途中で第一軸が切換用長孔の端部に当接して第２ハンドルと移動側刃体を一体化することによりテコ機能が作動するように形成されているケーブルカッター。
【発明の詳細な説明】
【技術分野】
【０００１】
本発明は、主として、通電用導電線を絶縁材で被覆した大径の被覆ケーブルを切断するためのケーブルカッターに関するものである。
【背景技術】
【０００２】
従来から、枢軸を介して開閉可能に連結した一対の刃体に長尺のハンドルを連結して、このハンドルを西洋鋏のように開閉させてテコ機能によりケーブルを切断するようにしたケーブルカッターは、既に多品種のものが製造され公知となっている。
【０００３】
しかしながら、テコ機能により小さな力で大きな切断力を得るためにはハンドルを長くする必要があり、重量が増大し、持ち運びや操作性に難点を生じる。そこで、倍力機構を組み込んでハンドルに作用する力を倍増させるようにしたケーブルカッターが既に提案されている（特許文献１参照）。
【０００４】
この倍力機能を備えたケーブルカッターでは、切断に要する力が小さくて済むのでハンドルの長さを比較的短くすることができる利点がある。しかし、この先行技術のものは、ハンドルの初期操作時から切断終了の最終操作時まで倍力機能が作用する構造となっているので、ハンドルの操作量（切断に要するハンドルの開閉角度）が、図９に示したように一般的な倍力機構を有しない場合のα１に比べ、α２と著しく大きくなり、やはり操作性に問題点が残っている。
【０００５】
また、硬質の芯線を比較的柔らかい絶縁体で被覆した大径のケーブルを、通常のテコ機能方式のケーブルカッターで切断する場合、ハンドルにかかる荷重推移は、切断初期の絶縁体を切断するまでは荷重が小さく、硬質の芯線を半分以上切断するまでは大きな荷重を必要とし、切断する芯線が残り少なくなった時点からは荷重が小さくなることが解明されている。
【先行技術文献】
【特許文献】
【０００６】
【特許文献１】特開平８−２７６０７９号公報
【発明の概要】
【発明が解決しようとする課題】
【０００７】
そこで本発明は、ケーブルの切断操作において、大きな切断力を要しない切断初期段階または切断終期段階もしくはその両方での切断を通常のテコ機能によって行わせ、大きな切断力を要する中間段階での切断操作では倍力機能で行い得るようにし、これにより、ケーブル切断時のハンドルの操作性を改善できるようにした新規な構成を備えたケーブルカッターを提供することを主たる目的とするものである。
【課題を解決するための手段】
【０００８】
該目的を達成するために、本発明では次のような技術的手段を講じた。即ち、本発明にいうところのケーブルカッターにあっては、枢軸３を介して開閉可能に連結された固定側刃体１と移動側刃体２とを備え、固定側刃体１は第１ハンドル４に固定連結され、移動側刃体２は第一軸６並びに第二軸７を介して第２ハンドル５に連結され、移動側刃体２には枢軸３を中心とした円弧を描く弧状長孔８と、枢軸３からみて前記弧状長孔８より遠隔位置で枢軸３に対して放射方向に延びる直線状長孔１０とが設けられ、
固定側刃体１には段差部を備えた切換用長孔９が設けられ、前記第２ハンドル５から突設された第一軸６が弧状長孔８と切換用長孔９に、第二軸７が直線状長孔１０に夫々スライド可能に挿入されており、前記弧状長孔８には前記両ハンドル４，５の全開位置において第一軸６が嵌り込んで第２ハンドル５と移動側刃体２を一体化するポケット８ａを備え、これら両ハンドル４，５の開閉途中において第一軸６が切換用長孔９の段差部によってポケット８ａから押し出されて弧状長孔８に移行し、該長孔８内をスライドすることにより倍力機能が動作するように構成したものである。
【０００９】
また、請求項２に記載の構成は、前記請求項１に記載のケーブルカッターにおける切換用長孔９が、弧状長孔８と同じ半径で円弧を描く第１円弧部９ａと、段差部９ｃを介して第１円弧部９ａと連なって該第１円弧部９ａより小径に形成された第２円弧部９ｂとを備えていて、前記第１、第２両ハンドル４，５の全開姿勢で、第一軸６が切換用長孔９の第２円弧部９ｂの終端部と弧状長孔８のポケット８ａとに位置し、切断終了後の刃体閉止姿勢で切換用長孔９の第１円弧部９ａの終端部と弧状長孔８の終端部とに位置するように設定されている構成としたものである。
【００１０】
また、請求項３に記載の構成は、枢軸３を介して開閉可能に連結された固定側刃体１と移動側刃体２とを備え、固定側刃体１は第１ハンドル４に固定連結され、移動側刃体２は第一軸６並びに第二軸７を介して第２ハンドル５に連結され、移動側刃体２には枢軸３を中心とした円弧を描く弧状長孔８と、枢軸３からみて前記弧状長孔８より遠隔位置で枢軸３に対して放射方向に延びる直線状長孔１０とが設けられ、固定側刃体１には前記弧状長孔８と同じ半径の円弧で形成された切換用長孔９が設けられ、前記第２ハンドル５から突設された第一軸６が弧状長孔８と切換用長孔９に、第二軸７が直線状長孔１０に夫々スライド可能に挿入されており、第１、第２両ハンドルによる切断操作の初期段階において第一軸６が弧状長孔８と切換用長孔９とに位置して両長孔に沿ってスライドすることにより倍力機能が作動するように形成され、切断操作の途中で第一軸６が切換用長孔９の端部に当接して第２ハンドル５と移動側刃体２を一体化することによりテコ機能が作動するように形成されている構成としたものである。
【発明の効果】
【００１１】
本発明にいうところのケーブルカッターによれば、比較的力の要しない初期切断操作において、第２ハンドル５と移動側刃体２とが一体化して回動することにより通常のテコ機能により行われ、大きな力を要する中間切断操作において、倍力機能に切り替わって行われるので、全て倍力機能による切断操作に比べてテコ機能による切断操作分だけハンドル回動量を小さくすることができ、これによりケーブル切断時のハンドル操作性を改善と、切断時間を短縮を図ることができると共に、その機構が弧状長孔と切換用長孔との組合せによる簡単な構造であるから、少ない部品点数でコンパクトに且つ低コストで製作することができるといった効果がある。
【００１２】
また、本発明の請求項２に記載の構成によれば、比較的大きな力を要しない切断終期において倍力機能から再び通常のテコ機能に切り替わって切断動作を続けるので、ハンドルの持ち運びや操作性がよいばかりではなく、ケーブルの切断を容易に行い得て、切断に要する時間を更に改善することができる利点がある。
【００１３】
また、本発明の請求項３に記載の構成によれば、比較的大きな力の要しない切断終期において倍力機能からテコ機能に切り替わるので、全て倍力機能による切断操作に比べてテコ機能による切断操作分だけハンドル回動量を小さくすることができ、これによりケーブル切断時のハンドル操作性を改善と、切断時間を短縮を図ることができる。
【図面の簡単な説明】
【００１４】
【図１】本発明のケーブルカッターの一実施例を示す要部の分解斜視図。
【図２】同ケーブルカッターのハンドル開放状態の全体平面図。
【図３】ケーブル切断時の第１段階（切断初期段階）を示す平面図。
【図４】ケーブル切断時の第２段階を示す平面図。
【図５】ケーブル切断時の第３段階を示す平面図。
【図６】ケーブル切断時の第４段階を示す平面図。
【図７】ケーブル切断時の第５段階（切断完了段階）を示す平面図。
【図８】ケーブルカッターにおける弧状長孔と切換用長孔の拡大説明図。
【図９】本発明のカッターと、従来のテコ機能カッターと、先行技術の全て倍力機能使用のカッターとの、ハンドル操作量を比較するための説明図。
【図１０】本発明にかかるケーブルカッターの別実施例を示す要部の平面図。
【図１１】本発明にかかるケーブルカッターの更に別の実施例を示す要部の分解斜視図。
【図１２】上記実施例におけるケーブル切断時の第１段階（切断初期段階）を示す平面図。
【図１３】上記ケーブル切断時の第２段階（切り替わり段階）を示す平面図。
【図１４】上記ケーブル切断時の第３段階（切断完了段階）を示す平面図。
【発明を実施するための形態】
【００１５】
以下において、本発明にかかるケーブルカッターの詳細を、その実施図面に基づいて詳細に説明する。
【００１６】
図１は本発明のケーブルカッターの一実施例を示す要部の分解斜視図であり、図２は全体の平面図である。この実施例のケーブルカッターは、硬質の芯線を樹脂等の比較的柔らかい絶縁体で被覆する大径のケーブルＣを切断するものであって、固定側刃体１と移動側刃体２とを備え、枢軸３によって回転可能に連結されており、西洋鋏のように枢軸３を支点として互いに交差回動することによりケーブルＣを切断するように形成されている。
【００１７】
前記固定側刃体１は、第１ハンドル４に固定連結され、移動側刃体２は第一軸６並びに第二軸７を介して第２ハンドル５に連結されている。前記第一軸６並びに第二軸７は移動側刃体２に一体的に突設されている。
移動側刃体２には枢軸３より離れた位置で枢軸３を中心とした半径Ｒ１（図８参照）で円弧を描く弧状長孔８と、枢軸３からみて前記弧状長孔８より遠隔位置で枢軸３に対して放射方向に直線に延びる直線状長孔１０とが設けられている。そして、第２ハンドル５から突設された第一軸６が円弧状長孔に、第二軸７が直線状長孔１０にスライド可能に挿入されている。
【００１８】
弧状長孔８並びに直線状長孔１０は、それぞれに挿入された第一軸６並びに第二軸７がガタツキ無くスライドできる巾で形成されている。また弧状長孔８はその一端で枢軸３方向に折れ曲がったポケット８ａを備えている。そして、両ハンドル４，５の全開姿勢で第一軸６がこのポケット８ａに位置し、切断を終了した完全閉じ姿勢で第一軸６が弧状長孔８の他端部に位置するように設定されている。また、前記ポケット８ａは、第一軸６をしっかりと受け入れると共に、円滑に抜け出すことができる深さで形成され、その深さの寸法は第一軸６の約半径分とするのが好ましい。
【００１９】
更に、固定側刃体１には、第一軸６を摺動可能に受け入れる切換用長孔９が設けられている。この切換用長孔９は、前記弧状長孔８と同じ半径Ｒ１（図８参照）で円弧を描く第１円弧部９ａと、段差部９ｃを介して前記第１円弧部９ａと連なって形成された第２円弧部９ｂとからなり、第２円弧部９ｂは枢軸３を中心とした半径Ｒ２の円弧で形成されている。半径Ｒ２は、第一軸６の半径分だけ半径Ｒ１より小径に形成されている。
また、図２、図３の両ハンドル４，５の全開姿勢で、第一軸６が切換用長孔９の第２円弧部９ｂの終端部と弧状長孔８のポケット８ａに位置し、切断を終了した完全閉じ姿勢で切換用長孔９の第１円弧部９ａの終端部と弧状長孔８の終端部（ポケット８ａの反対側）に位置するように設定されている。
【００２０】
次に、このケーブルカッターで、硬質の芯線を比較的柔らかい樹脂等の絶縁皮膜で被覆した大径のケーブルＣを切断する際の作動について説明する。
図２並びに図３はケーブルカッターの全開姿勢を示す。この状態で両ハンドル４，５を閉じ方向（矢印方向）に回動すると、その切断操作の初期において、第一軸６が移動側刃体２の弧状長孔８のポケット８ａに嵌り込んでいるので、移動側刃体２は第２ハンドル５と一体となって閉じ方向に回動する。即ち、第３図に示すように、第２ハンドル５の閉じ力は第一軸６並びに第二軸７を介して移動側刃体２に伝達され、第２ハンドル５と一体となって枢軸３を支点として回動し、これにより、枢軸３を支点とする通常のテコ機能による切断操作が行われる。
【００２１】
両ハンドル４，５の回動が進展すると、第一軸６が切換用長孔９の第２円弧部９ｂに沿って移動し、図４に示すように、段差部９ｃの上縁側９ｄ（図８参照）で第１円弧部９ａに押し出されると同時に、弧状長孔８のポケット８ａから押し出される。更に両ハンドル４，５の回動が進展すると、図５に示すように、第一軸６は固定側刃体１の切換用長孔９に対しては段差部９ｃの下縁側９ｅ（図８参照）で受け止められた状態で移動側刃体２の弧状長孔８に沿って移行するので、移動側刃体２が第二軸７に対して弧状長孔８のストロークだけ揺動することになる。これにより、移動側刃体２が第２ハンドル５の開閉操作力以上の動作力（倍力機能）でケーブルを切断することができる。
【００２２】
更に、両ハンドル４，５の回動が進展すると、図６に示すように、第一軸６が弧状長孔８の終端に当接して移動側刃体２が第２ハンドル５と一体となって枢軸３を支点として図７の切断完全終了位置まで回動する。これにより再び通常のテコ機能による切断操作が行われる。この回動は、第一軸６が切換用長孔９の第２円弧部９ｂに沿って移動できるので可能である。切断操作は、両ハンドル４，５に設けたストッパー１１，１１の当接によって終了するが、第一軸６が切換用長孔９の第１円弧部９ａの終端に当接することによっても終了する。
【００２３】
切断初期のテコ機能から倍力機能に切り替わる時期や中間の倍力機能の作動する長さ、及び切断終期の倍力機能からテコ機能に切り替わる時期は、切換用長孔９の第１及び第２円弧部９ａ，９ｂの長さや段差部９ｃの位置及び弧状長孔８の長さによって異なる。
本実施例の場合、初期のテコ機能による切断は、ケーブルの絶縁皮膜を切断する間とし、中間の倍力機能による切断は芯線の切り始めから半分以上切断するまでの間とし、終期のテコ機能による切断は、芯線を半分以上切断してから完全に切断するまでの間となるように、弧状長孔８や切換用長孔９等の各部位の寸法が設定されている。
【００２４】
以上の動作によって、比較的力を要しない絶縁皮膜を切断する初期切断操作が通常のテコ機能により行われ、大きな力を要する芯線を切断する中間切断操作が倍力機能により行われ、比較的力を要しない終期切断操作が再度テコ機能に切り変わって行われる。これにより、両ハンドル４，５の切断操作に要する開閉角度が、図９に示すように全て倍力機能による場合の角度α２に比べ、α３に示すようにテコ機能による切断操作分だけ小さくすることができ、これによりケーブル切断時のハンドル操作性が改善されると共に、切断時間を短縮することができる。
【００２５】
上記実施例では、ケーブル切断の切断操作が、その初期と終期の両方において、通常のテコ機能で行うようにし、中間で倍力機能が作動するようにした実施例を示したが、例えば図１０として示した別実施例のように、切換用長孔９の第１円弧部９ａを無くして第２円弧部９ｂと段差部９ｃ（ポケット）のみで切換用長孔９を形成することにより、初期のテコ機能から中間の倍力機能に切り替わった後は、最後まで倍力機能で切断するように形成することもできる。即ち、先の実施例と同様に、ケーブルの切断中期において、段差部９ｃで倍力機能に切り変わった後は、切断完了位置まで第一軸６が弧状長孔８に沿って移動するように形成する。これにより倍力機能に切り替わった後は切断完了まで倍力機能で切断することができる。
【００２６】
図１１〜図１４は、本発明の更に別の実施例を示す。この実施例では、切断操作の初期段階から倍力機能が作動し、切断操作の中間、より好ましくは、ケーブルの芯線を半分以上切断した段階から切断完了までテコ機能が作動するように形成したものである。
この実施例では、移動刃体２に設けられた弧状長孔８と切換用長孔９とは、枢軸３を中心とした同じ半径の円弧で形成されており、先の実施例で示した切換用長孔９の段差部９ｃや弧状長孔８のポケット８ａを備えていない。そして、第１、第２両ハンドルによる切断操作の初期段階において、図１２に示すように、第一軸６が弧状長孔８と切換用長孔９のハンドル閉じ方向側端部に位置するように配置されている。
従って、第１、第２両ハンドルによる切断操作の初期段階において、図１２に示すように、第一軸６は固定側刃体１の切換用長孔９に対して、ハンドル４の閉じ方向側端部で受け止められた状態で移動側刃体２の弧状長孔８に沿って移行するので、移動側刃体２が第二軸７に対して弧状長孔８のストロークだけ揺動することになる。これにより、移動側刃体２が第２ハンドル５の開閉操作力以上の動作力（倍力機能）でケーブルを切断することができる。
【００２７】
更に、両ハンドル４，５の回動が進展すると、図１３に示すように、第一軸６が弧状長孔８の終端に当接して移動側刃体２が第２ハンドル５と一体となって枢軸３を支点として図１４の切断完全終了位置まで回動する。これにより通常のテコ機能による切断操作が行われる。この回動は、第一軸６が切換用長孔９に沿って移動できるので可能である。切断操作は、両ハンドル４，５に設けたストッパー１１，１１の当接、もしくは第一軸６が切換用長孔９の終端に当接することによって終了する。この実施例によっても、比較的力の要しない切断終期においてテコ機能に切り替わるので、全て倍力機能による切断操作に比べてテコ機能による切断操作分だけハンドル回動量を小さくすることができ、これによりケーブル切断時のハンドル操作性を改善と、切断時間を短縮を図ることができる。なお、本実施例は、絶縁被膜を有しない鋼線等の切断にも使用することができる。
【００２８】
以上本発明の代表的な実施例について説明したが、本発明は必ずしも上記の実施形態に特定されるものではなく、その目的を達成し、請求の範囲を逸脱しない範囲内で適宜修正し、変更することが可能である。
【産業上の利用可能性】
【００２９】
本発明のケーブルカッターは、大径の被覆電線ケーブルを切断する工具として最適の工具であるが、金属パイプや鋼線等を切断する工具としても利用することができる。
【符号の説明】
【００３０】
Ｃ  ケーブル
１  固定側刃体
２  移動側刃体
３  枢軸
４  第１ハンドル
５  第２ハンドル
６  第一軸
７  第二軸
８  弧状長孔
８ａ  ポケット
９  切換用長孔
９ａ  第１円弧部
９ｂ  第２円弧部
９ｃ  段差部
１０  直線状長孔
【図１】
2011078497.tif 000003
【図２】
2011078497.tif 000004
【図３】
2011078497.tif 000005
【図４】
2011078497.tif 000006
【図５】
2011078497.tif 000007
【図６】
2011078497.tif 000008
【図７】
2011078497.tif 000009
【図８】
2011078497.tif 000010
【図９】
2011078497.tif 000011
【図１０】
2011078497.tif 000012
【図１１】
2011078497.tif 000013
【図１２】
2011078497.tif 000014
【図１３】
2011078497.tif 000015
【図１４】
2011078497.tif 000016